(57)【要約】【課題】農舎に太陽光発電システムを導入し、太陽電池モジュールで発電した電力を農舎に備え付けの電気機器に供給すると共に、農舎に格納されている農業用作業車両のバッテリーにも太陽電池モジュールで発電した電力を充電できるようにする。【解決手段】太陽電池モジュール４で発電した電力を、農舎１に備え付けの電気機器に電力を供給する第１バッテリー１１と、農舎１に格納されている作業車両に搭載した第２バッテリー１２とに切替え充電する充電切替え手段Ａを設けた。【選択図】      図２
2004173378.tif 000002
【特許請求の範囲】
【請求項１】
太陽電池モジュール（４）で発電した電力を、農舎（１）に備え付けの電気機器へ電力を供給する第１バッテリー（１１）と、農舎（１）に格納されている農業用作業車両に搭載の第２バッテリー（１２）とに切替え充電する充電切替え手段（Ａ）を設けたことを特徴とする農舎（１）における太陽光発電システム。
【請求項２】
前記第１バッテリー（１１）と第２バッテリー（１２）の過充電及び過放電を防止する充放電コントローラ（５）と、充電された第１バッテリー（１１）と第２バッテリー（１２）の何れか一方を選択し放電させる放電切替え手段（Ｂ）を設け、該放電切替え手段（Ｂ）により選択したバッテリーの電力を、インバーター（６）を介して農舎（１）に備え付けの電気機器へ供給するように構成したことを特徴とする請求項１記載の農舎（１）における太陽光発電システム。
【発明の詳細な説明】
【０００１】
【発明の属する技術分野】
本発明は、農業用の作業資材や、田植機、コンバイン、トラクタ等の農業用作業車両の格納庫、及び作業場等として利用されている農舎の発電システムに関するものである。
【０００２】
【従来の技術】
従来、一般住宅に付随して設置されたカーポートの屋根部に太陽電池モジュールを敷設することによって、既存の住宅用配電設備と太陽光発電設備とを連係させるように太陽光発電システムを構成したものが知られている（例えば、特許文献１参照。）。
【０００３】
【特許文献１】
特開平８−１９１９３号公報（第２−４頁、図１及び２図）
【０００４】
【発明が解決しようとする課題】
しかし、例えば住宅用配電設備が設けられていない農舎に太陽光発電システムを単独で導入したものはなく、農舎内外で電気機器を利用することができなかった。
また、農舎に格納されている農業用作業車両に搭載したバッテリーが放電して所謂バッテリー上がりを起こした際は、当該バッテリーを充電することが困難であった。
【０００５】
更に、農舎に太陽光発電システムを導入したとしても、該太陽光発電システムの具有するバッテリーに充電された電力のみで農舎内外の電気機器への電力供給を行わなければならず、曇天等で太陽電池モジュールへの日射量が不足してバッテリーへ充電される電力が減少すると、前記電気機器への電力供給が十分に行われなくなるという心配があった。
【０００６】
【課題を解決するための手段】
本発明は、上記課題を解決することを目的として創案したものであって、太陽電池モジュールで発電した電力を、農舎に備え付けの電気機器へ電力を供給する第１バッテリーと、農舎に格納されている農業用作業車両に搭載の第２バッテリーとに切替え充電する充電切替え手段を設けたことを第１の特徴としている。
【０００７】
そして、前記第１バッテリー１１と第２バッテリー１２の過充電及び過放電を防止する充放電コントローラ５と、充電された第１バッテリー１１と第２バッテリー１２の何れか一方を選択し放電させる放電切替え手段Ｂを設け、該放電切替え手段Ｂにより選択したバッテリーの電力を、インバーター６を介して農舎１に備え付けの電気機器へ供給するように構成したことを第２の特徴としている。
【０００８】
【発明の実施の形態】
本発明の実施形態を以下添付図面に基づいて詳細に説明する。
【０００９】
図１は、本発明の太陽光発電システムを住宅用配電設備が設けられていない農舎に単独で導入したものを示す外観図であって、農業用の作業資材や作業車両等の格納庫、及び作業場等として利用されている農舎１の屋根２上の一側には、複数の太陽電池パネル３・・を相互に接続して並置した太陽電池モジュール４を敷設してある。
【００１０】
また、図２は本発明の太陽光発電システムの実施形態をブロック図で示したものであって、農舎１の屋根に敷設した太陽電池モジュール４により発電された電力は、通常は、農舎１内に設置された充放電コントローラ５を介して農舎１に備え付けの第１バッテリー１１に充電されるようになっている。
【００１１】
そして、通常は農舎１に備え付けの第１バッテリー１１に充電された直流電力は、インバーター６で交流変換され、分電盤（不図示）またはＡＣコンセント７を介して接続した農舎１内外の照明器具、農舎１内のモータ等の動力機器やヒータ等の電気機器へ負荷されるようになっている。
【００１２】
また、図３は、自動・手動・半自動の充電切替え制御を例示したフローチャートであって、上述した充放電コントローラ５は、手動操作による自動・手動・半自動の制御選択スイッチ２１とバッテリー選択スイッチ３１（手動制御の場合の充電切替え手段Ａに相当）とを備えている。
更に、上記充放電コントローラ５は、農舎１に備え付けの第１バッテリー１１、及び第２バッテリー１２（詳細は後述する）の過充電及び過放電を防止する機能と、上記自動及び半自動制御において、第１バッテリー１１が充電されて満充電状態になった時、自動的に第１バッテリー１１を第２バッテリー１２に切替えて充電を開始する充電切替え手段Ａと、第１バッテリー１１に充電した電力が電気機器へ負荷されて過放電状態に近づいた時、自動的に第１バッテリー１１を第２バッテリー１２に切替えて電気機器への電力供給を開始する放電切替え手段Ｂとを、マイコン制御の中に組み込んだ構成になっている。
【００１３】
尚、上述した第２バッテリー１２は、農舎１に格納されている田植機、コンバイン、トラクタ等の農業用作業車両に搭載したバッテリーであって、当該第２バッテリー１２は、充放電コントローラ５に組み込まれた充電切替え手段Ａによって、太陽電池モジュール４で発電された電力を直接充電することができるようになっている。
【００１４】
以下、図３に例示したフローチャートに基づき自動・手動・半自動の充電切替え制御について説明する。
【００１５】
先ず、上述した制御選択スイッチ２１の手動操作で自動制御を選択した場合は、自動的に農舎１に備付けの第１バッテリー１１への充電が開始され、該第１バッテリー１１が満充電状態になると、充放電コントローラ５のマイコン制御に組み込まれた充電切替え手段Ａによって、作業車両に搭載した第２バッテリー１２への充電切替えが自動的になされ、第１バッテリー１１に引き続いて第２バッテリー１２が満充電状態となるまで連続した自動充電が行われる。
【００１６】
また、制御選択スイッチ２１の手動操作で手動制御を選択した場合は、引き続き次のステップで、バッテリー選択スイッチ３１（手動制御の場合の充電切替え手段Ａに相当）の操作によって、第１バッテリー１１か第２バッテリー１２の何れか所望のバッテリーを充電することができる。
そして、前記バッテリー選択スイッチ３１の操作で選択したバッテリーが満充電状態となると、充放電コントローラ５の保護回路により充電が停止される。
即ち、上述した手動による充電切替え制御によれば、第１バッテリー１１と第２バッテリー１２の使用状況や、充放電コントローラ５に具備する電圧計（不図示）から両バッテリー１１，１２の放電状態を確認した上でバッテリーを選択して充電に供することができる。
【００１７】
また、制御選択スイッチ２１の手動操作で半自動制御を選択した場合は、引き続き次のステップにおいて、バッテリー選択スイッチ３１の操作によって、第１バッテリー１１か第２バッテリー１２の何れかを選択するだけで、例えば第１バッテリー１１を選択した場合は、該第１バッテリー１１が満充電状態になると充電切替え手段Ａにより自動的に第２バッテリー１２に切替えられて、該第２バッテリー１２が満充電状態になるまで連続して充電が行われ、また第２バッテリー１２を選択した場合は、該第２バッテリー１２が満充電状態になると充電切替え手段Ａにより自動的に第１バッテリー１１に切替えられて、該第１バッテリー１２が満充電状態になるまで連続して充電が行われるので、前記両バッテリー１１，１２を効率よく充電することができる。
【００１８】
そして、上述した充電切替え制御によって満充電状態となった第１バッテリー１１の電力は、通常は、農舎１内外に備え付けの種々の電気機器へ供給され、当該電力が徐々に消費されることにより第１バッテリー１１が過放電状態に近づくと、充放電コントローラ５に組み込まれた放電切替え手段Ｂによって、作業車両に搭載した第２バッテリー１２への放電切替えが自動的になされ、過放電状態に近づいた第１バッテリー１１に引き続いて第２バッテリー１２による電気機器への電力供給が行われるようになっている。
【００１９】
したがって、上述した充電切替え手段Ａと放電切替え手段Ｂによって、第１バッテリー１１と第２バッテリー１２の充放電の相互切替えがスムーズになされるので、住宅用配電設備が設けられていない農舎１に本発明の太陽光発電システムを単独で導入したものにおいては、曇天等で太陽電池モジュールへの日射量が不足して第１バッテリー１１へ充電される電力が減少した場合であっても、第２バッテリー１２を予備的なバッテリーとして利用可能であり、当該第２バッテリー１２によって種々の電気機器への電力供給不足を補うことができるようになる。
【００２０】
尚、上述した第１バッテリー１１と第２バッテリー１２の自動・手動・半自動の充電切替え制御と同様に、当該第１バッテリー１１と第２バッテリー１２の放電切替え制御においても自動・手動・半自動の切替え制御が行えるように構成してもよい。
【００２１】
【発明の効果】
以上説明したように本発明は、太陽電池モジュール４で発電した電力を、農舎１に備え付けの電気機器へ電力を供給する第１バッテリー１１と、農舎１に格納されている農業用作業車両に搭載の第２バッテリー１２とに切替え充電する充電切替え手段Ａを設けたことによって、農舎１に備え付けの電気機器へ電力を供給する第１バッテリー１１だけでなく、農舎１に格納されている農業用作業車両に搭載の第２バッテリー１２にも、太陽電池モジュール４で発電した電力を充電できるようになる。
【００２２】
そして、前記第１バッテリー１１と第２バッテリー１２の過充電及び過放電を防止する充放電コントローラ５と、充電された第１バッテリー１１と第２バッテリー１２の何れか一方を選択し放電させる放電切替え手段Ｂを設け、該放電切替え手段Ｂにより選択したバッテリーの電力を、インバーター６を介して農舎１に備え付けの電気機器へ供給するように構成したことによって、前記第１バッテリー１１と第２バッテリー１２の充放電の相互切替えがスムーズになされるので、住宅用配電設備が設けられていない農舎に本発明の太陽光発電システムを単独で導入したものにおいては、曇天等で太陽電池モジュールへの日射量が不足して第１バッテリー１１へ充電される電力が減少した場合においても、第２バッテリー１２を予備的なバッテリーとして利用可能であり、当該第２バッテリー１２によって種々の電気機器への電力供給不足を補うことができるようになる。
【図面の簡単な説明】
【図１】太陽電池モジュールを屋根に敷設した農舎の外観図である。
【図２】太陽光発電システムの実施形態を示すブロック図である。
【図３】充電切替え制御を示すフローチャートである。
【符号の説明】
１    農舎
４    太陽電池モジュール
５    充放電コントローラ
６    インバーター
１１  第１バッテリー
１２  第２バッテリー
Ａ    充電切替え手段
Ｂ    放電切替え手段
【図１】
2004173378.tif 000003
【図２】
2004173378.tif 000004
【図３】
2004173378.tif 000005